(57)【要約】【課題】デッキプレートに穿設された貫通孔と管類又はケーブル類を支持する支持材との接触を回避し、該支持材を傷つけることなくデッキプレートに設置することができる管・ケーブル類の支持具を提供すること。【解決手段】支持具１０は、支持具本体１１と線材１２とからなり、該支持具本体１１は、設置部１３と嵌合部１４とからなる。そして、設置部１３は、デッキプレートＰの上面Ｐｄに係止されるとともに、デッキプレートＰの貫通孔Ｐｃを閉鎖する。また、嵌合部１４は、貫通孔Ｐｃに挿入される。嵌合部１４の先端は、貫通孔Ｐｃの下側周縁よりも下方に突出される長さで形成される。そして、線材１２は、嵌合部１４の先端の下方に露出して懸吊される。【選択図】      図１
2006234061.tif 000002
【特許請求の範囲】
【請求項１】
デッキプレートの上面にコンクリートが打設されてなるコンクリート天井に設置され、該コンクリート天井から管類又はケーブル類を吊り下げるために用いられる管・ケーブル類の支持具であって、
支持具本体と、前記デッキプレートよりも下方位置で管類又はケーブル類を支持し、作業者の手作業により折り曲げ可能な線状又は帯状の支持材とからなり、
前記支持具本体は、前記デッキプレートの上面に設置されるものであり、前記デッキプレートの上下面を貫通して穿設された貫通孔に挿入される挿入部と、前記デッキプレートの上面に係止される係止部と、前記貫通孔を閉鎖して前記デッキプレートの上面側空間と下面側空間とを非連通とする閉鎖部とを有し、
前記挿入部を、前記支持具本体の設置状態においてその先端が前記デッキプレートの下面に位置する前記貫通孔の下側周縁と同一位置に配置される又は前記下側周縁よりも下方に突出される長さで形成し、
前記支持材を前記挿入部の先端面から前記下面側空間に露出させて懸吊したことを特徴とする管・ケーブル類の支持具。
【請求項２】
前記挿入部には、挿入方向に沿って前記先端面を貫通し、前記支持材を前記挿入部内に挿通させる支持材挿通孔と、前記支持材挿通孔に挿通された前記支持材を吊下げる吊下部が設けられていることを特徴とする請求項１に記載の管・ケーブル類の支持具。
【請求項３】
前記挿入部には、前記支持材挿通孔が２箇所に設けられていることを特徴とする請求項２に記載の管・ケーブル類の支持具。
【請求項４】
前記挿入部には、前記先端面に前記支持材を吊下げる吊下部が設けられていることを特徴とする請求項１に記載の管・ケーブル類の支持具。
【請求項５】
前記挿入部は、前記設置状態において少なくとも一部の外面が前記貫通孔の内面と密接状態を形成して嵌合され、前記閉鎖部を兼用することを特徴とする請求項１〜請求項４のうちいずれか一項に記載の管・ケーブル類の支持具。
【請求項６】
前記係止部は、前記デッキプレートの上面に係止される係止面に接着部材の配設部が形成されており、前記デッキプレートの上面に接着固定されることにより前記閉鎖部を兼用することを特徴とする請求項１〜請求項５のうちいずれか一項に記載の管・ケーブル類の支持具。
【発明の詳細な説明】
【技術分野】
【０００１】
本発明は、コンクリート天井から管類又はケーブル類を吊り下げるために用いられる管・ケーブル類の支持具に関する。
【背景技術】
【０００２】
コンクリート天井に、管類（保護管等）又はケーブル類（ケーブル）を吊り下げて支持させるために管・ケーブル類の支持具（以下、単に支持具と記載する）が用いられている。前記コンクリート天井は、金属板製のデッキプレートの上面にコンクリートが打設されて構築される天井である。
【０００３】
また、前記支持具としては、例えば、特許文献１に開示されるような支持具が挙げられる。図８に示すように、支持具３０は、方形状をなす接着板３１と、接着板３１の両側に連結部３２を介して連設された仮接着板３３と、前記接着板３１の下面に設けられた接続部３４により接続された結束紐３５とにより構成されているものである。また、前記接着板３１の上面には接着剤が塗布され、一対の仮接着板３３の上面には両面接着テープが予め接着されている。
【０００４】
そして、上記構成の支持具３０がコンクリート天井の下面に固着される。詳細には、まず、接着板３１に接着剤を塗布し、その接着板３１を介してデッキプレートの下面に密着させると同時に、各仮接着板３３の両面接着テープをデッキプレートの下面に密着させて両面接着テープを介して各仮接着板３３をデッキプレートの下面に接着させる。すると、両面接着テープによって、接着剤がデッキプレートの下面に密着した状態が維持され、接着剤が硬化した後は、該接着剤によって支持具が天井面に固着される。そして、コンクリート天井に固着された支持具に接続された結束紐３５に管類又はケーブル類を支持させると、該支持具３０によってコンクリート天井に管類又はケーブル類が吊り下げられる。
【特許文献１】特開平１０−１４８２７６号公報（［０００８］〜［００１２］、図７）
【発明の開示】
【発明が解決しようとする課題】
【０００５】
ところが、特許文献１に記載の支持具３０を用いて管類又はケーブル類をコンクリート天井から吊り下げた場合、結束紐３５に支持された管類又はケーブル類の荷重が、結束紐３５の真上に位置する接着剤に対して下方への引張り力として作用する。このため、前記引張り力によって接着剤が下方へ引張られ接着板３１とコンクリート天井との接着が確実に行われなくなってしまう。その結果、接着剤によってコンクリート天井に固着された支持具３０に管類又はケーブル類を支持させると、支持具３０がコンクリート天井から落下するおそれがあるという問題があった。
【０００６】
そこで、支持具３０を接着剤によってデッキプレートの下面に接着するのではなく、支持具３０をデッキプレートに直接的に支持させることが考えられる。支持具３０をデッキプレートに直接的に支持させるには、まず、デッキプレート上面にコンクリートを打設する前に、デッキプレートに該デッキプレートを上下方向に貫通する貫通孔を穿設する。次いで、貫通孔に接続部３４と該接続部３４に接続された結束紐３５を通過させて該接続部３４と結束紐３５とをデッキプレートの下面から下方へ突出させ、さらに、接着板３１及び仮接着板３３の下面を貫通孔の周縁部となるデッキプレートの上面に当接させて支持具３０をデッキプレートに支持させる。最後に、デッキプレートの上面にコンクリートを打設し、該コンクリート内に支持具３０を埋設する。
【０００７】
そして、支持具３０の結束紐３５に管類又はケーブル類を支持させると、管類又はケーブル類の荷重によって支持具３０は下方へ引張られるが、接着板３１及び仮接着板３３の下面がデッキプレートの上面に当接している。このため、下方への引張り力は、デッキプレートに受承され、支持具３０がデッキプレートから落下するおそれがなくなり、支持具３０によって管類又はケーブル類をコンクリート天井に安定した状態で吊り下げることが可能となる。
【０００８】
しかしながら、前述した方法で支持具３０をデッキプレートに支持させる場合には、貫通孔に接続部３４と結束紐３５を通過させる必要があり、この通過時に貫通孔の内面に結束紐３５が擦れ、該結束紐３５を傷つけてしまう虞がある。また、前述の方法では、結束紐３５と貫通孔の周縁（エッジ部）とが接触した状態で支持具３０がデッキプレートに支持される場合や管類又はケーブル類を結束紐３５で支持させる際に該結束紐３５が貫通孔の周縁に接触する場合も考えられ、貫通孔の周縁との接触により結束紐３５を傷つけてしまう虞がある。
【０００９】
本発明の目的は、デッキプレートに穿設された貫通孔と管類又はケーブル類を支持する支持材との接触を回避し、該支持材を傷つけることなくデッキプレートに設置することができる管・ケーブル類の支持具を提供することにある。
【課題を解決するための手段】
【００１０】
上記問題点を解決するために、請求項１に記載の発明は、デッキプレートの上面にコンクリートが打設されてなるコンクリート天井に設置され、該コンクリート天井から管類又はケーブル類を吊り下げるために用いられる管・ケーブル類の支持具であって、支持具本体と、前記デッキプレートよりも下方位置で管類又はケーブル類を支持し、作業者の手作業により折り曲げ可能な線状又は帯状の支持材とからなり、前記支持具本体は、前記デッキプレートの上面に設置されるものであり、前記デッキプレートの上下面を貫通して穿設された貫通孔に挿入される挿入部と、前記デッキプレートの上面に係止される係止部と、前記貫通孔を閉鎖して前記デッキプレートの上面側空間と下面側空間とを非連通とする閉鎖部とを有し、前記挿入部を、前記支持具本体の設置状態においてその先端が前記デッキプレートの下面に位置する前記貫通孔の下側周縁と同一位置に配置される又は前記下側周縁よりも下方に突出される長さで形成し、前記支持材を前記挿入部の先端面から前記下面側空間に露出させて懸吊したことを要旨とする。
【００１１】
請求項１に記載の管・ケーブル類の支持具によれば、支持具本体は、挿入部がデッキプレートの貫通孔に挿入されるとともに前記係止部が前記デッキプレートの上面に係止されることにより、管類又はケーブル類をデッキプレートの下方位置で支持可能な状態でデッキプレートの上面に設置される。そして、支持材は、挿入部の先端面から露出されているので該挿入部を挿入する際に貫通孔の内面に接触しないので擦れない。また、支持材は、挿入部の先端が貫通孔の周縁と同一位置又は貫通孔の周縁よりも突出して配置されることで、管類又はケーブル類を支持した状態又は管類又はケーブル類を支持する際においても貫通孔の周縁に接触しない。すなわち、支持材は、支持具の設置時及び設置後に管類又はケーブル類を支持する時の何れにおいても挿入部によって貫通孔に接触しないように保護される。したがって、管・ケーブル類の支持具は、デッキプレートに穿設された貫通孔と支持材との接触を回避し、該支持材を傷つけることなくデッキプレートに設置される。
【００１２】
請求項２に記載の発明は、請求項１に記載の管・ケーブル類の支持具において、前記挿入部には、挿入方向に沿って前記先端面を貫通し、前記支持材を前記挿入部内に挿通させる支持材挿通孔と、前記支持材挿通孔に挿通された前記支持材を吊下げる吊下部が設けられていることを要旨とする。
【００１３】
請求項２に記載の管・ケーブル類の支持具によれば、挿入部の支持材挿通孔には、支持材が挿通され、該支持材は吊下げ部に吊下げられている。そして、支持材は、挿入部内に挿通されており、支持材と貫通孔の内面との間に挿入部が介在される。このため、挿入部が支持材の保護部となり挿入部を貫通孔に挿入する際に支持材と、貫通孔の内面との接触が防止される。すなわち、挿入部を貫通孔に挿入する際に支持材が妨げになることを防止できる。したがって、支持具の設置時に設置作業が容易になる。
【００１４】
請求項３に記載の発明は、請求項２に記載の管・ケーブル類の支持具において、前記挿入部には、前記支持材挿通孔が２箇所に設けられていることを要旨とする。
請求項３に記載の管・ケーブル類の支持具によれば、折り曲げられた１本の支持材の両端のそれぞれが２箇所の支持材挿通孔に別々に挿通される。したがって、支持材を該支持材同士が接触しないように支持具本体に取着けることができる。
【００１５】
請求項４に記載の発明は、請求項１に記載の管・ケーブル類の支持具において、前記挿入部には、前記先端面に前記支持材を吊下げる吊下部が設けられていることを要旨とする。
【００１６】
請求項４に記載の管・ケーブル類の支持具によれば、吊下部は挿入部の先端に設けられるため、該吊下部への支持材の取り付けが容易となる。したがって、例えば、支持材が挿入部の内部に配置される場合に比べ支持材の取り付けが容易となる。
【００１７】
請求項５に記載の発明は、請求項１〜請求項４のうちいずれか一項に記載の管・ケーブル類の支持具において、前記挿入部は、前記設置状態において少なくとも一部の外面が前記貫通孔の内面と密接状態を形成して嵌合され、前記閉鎖部を兼用することを要旨とする。
【００１８】
請求項５に記載の管・ケーブル類の支持具によれば、挿入部を貫通孔に挿入することで、挿入部の外周面と貫通孔の内周面とを密接状態に嵌合することができる。すなわち、挿入部の少なくとも一部の外面と、貫通孔の内面との間に隙間が形成されない。したがって、挿入部によって貫通孔が閉鎖されることで、コンクリート天井の構築時においてコンクリートの漏出が防止される。
【００１９】
請求項６に記載の発明は、請求項１〜請求項５のうちいずれか一項に記載の管・ケーブル類の支持具において、前記係止部は、前記デッキプレートの上面に係止される係止面に接着部材の配設部が形成されており、前記デッキプレートの上面に接着固定されることにより前記閉鎖部を兼用することを要旨とする。
【００２０】
請求項６に記載の管・ケーブル類の支持具によれば、接着部材により係止部は、デッキプレート上面に接着固定される。すなわち、貫通孔の上側周縁が係止部によってシールされ、貫通孔を閉鎖することができる。したがって、コンクリート天井の構築時においてコンクリートの漏出がより確実に防止される。
【発明の効果】
【００２１】
本発明によれば、デッキプレートに穿設された貫通孔と管類又はケーブル類を支持する支持材との接触を回避し、該支持材を傷つけることなくデッキプレートに設置することができる。
【発明を実施するための最良の形態】
【００２２】
以下、本発明を具体化した管・ケーブル類の支持具の一実施形態を図１〜図４にしたがって説明する。
図１に示すように、管・ケーブル類の支持具（以下、単に「支持具」と記載する）１０は、ケーブル（ケーブル類）Ｄを、建物内のコンクリート天井Ｔから吊り下げ支持するために用いられる。コンクリート天井Ｔは、金属板製のデッキプレートＰの上面Ｐｄにコンクリートを打設して構築され、デッキプレートＰとコンクリートが硬化してなるコンクリート層Ｃとよりなる。また、デッキプレートＰは金属板に、下方へ突出する長尺状の突条部Ｐａを複数並列に形成して凹凸状に形成されている。デッキプレートＰにおいて、突条部Ｐａの底部Ｐｂには、支持具１０を設置するための円孔状の貫通孔Ｐｃが底部Ｐｂをその厚み方向へ貫通して穿設されるようになっている。貫通孔Ｐｃは、デッキプレートＰの底部Ｐｂの上面Ｐｄと下面Ｐｅを貫通して穿設されており、貫通孔ＰｃによりデッキプレートＰの上面Ｐｄ側の空間（コンクリートが打設される打設空間）と下面Ｐｅ側の空間（コンクリートが打設されない非打設空間）とが連通される。また、貫通孔Ｐｃは、市販された電動ドリルを用いて穿設可能な直径（例えば、４ｍｍ、５ｍｍ）とされている。
【００２３】
支持具１０は、支持具本体１１と、ケーブルＤを支持する支持材としての線材１２とからなる。支持具本体１１は、大別すると、合成樹脂材料より形成されて剛性を有する円盤状の設置部１３と、前記設置部１３に一体成形された円柱状の嵌合部１４とから構成されている。設置部１３と嵌合部１４は、設置部１３の方が大径にて形成されている。また、嵌合部１４は、設置部１３の一面（本実施形態では、係止面となる下面１５）の中央から垂下するように形成されている。また、線材１２は、作業者の手作業によって自在に折り曲げ可能なバインド線よりなる。手作業によって折り曲げ可能とは、作業者の手自体で折り曲げることが可能である又は作業者がペンチなどの工具を用いて折り曲げることが可能なことである。すなわち、線材は、これらの手作業によって折り曲げ可能な強度とされている。
【００２４】
また、図２に示すように、設置部１３の上面（嵌合部１４が一体成形された下面１５の反対面）１６の中央には、正面視円形をなす凹状の窪み１７が形成されている。そして、支持具本体１１には、図３（ａ）に示すように、窪み１７の底面１８と嵌合部１４の先端面１９とを貫通する一対の支持材挿通孔としての挿通孔２２が形成されている。挿通孔２２は、嵌合部１４の内部を通って該嵌合部１４の延設方向に沿って直線的に形成されている。挿通孔２２は円形孔であり、その直径は線材１２を挿通可能な直径とされている。より詳しく言えば、挿通孔２２は、線材１２を挿通させた時に該線材１２と該挿通孔２２との間にほとんど隙間ができないように線材１２の直径よりもわずかに小さな直径で形成されている。
【００２５】
線材１２は、折り曲げられた１本の線材１２の両端がそれぞれの挿通孔２２に挿通されて該両端を嵌合部１４の先端面１９から外部に引き出すとともに、折り曲げ部位を窪み１７の底面１８に引っ掛けることによって支持具本体１１に取着される。支持具本体１１に取着された線材１２は、嵌合部１４の内部を通って嵌合部１４の先端面１９から引き出されて支持具本体１１に懸吊される。本実施形態では、線材１２を引っ掛ける窪み１７の底面１８が吊下部となる。
【００２６】
また、設置部１３の下面１５には、嵌合部１４の基端側周辺を囲むように円環状の凹溝２０が形成されている（図３（ｂ）参照）。凹溝２０は、接着部材としての粘着テープ２１を貼着する接着部材の配設部とされている（図４参照）。粘着テープ２１は凹溝２０の内部に沿って貼着され、他面（下面）には粘着剤が塗布されている。すなわち、粘着テープ２１としては、両面テープが用いられる。
【００２７】
このように構成された本実施形態の支持具１０は、図１，図２及び図４に示すようにデッキプレートＰの上面Ｐｄに設置される。なお、支持具１０をデッキプレートＰに設置する際、上面Ｐｄには、支持具本体１１の嵌合部１４と同一直径（同一形状）をなす貫通孔Ｐｃが穿設される。同一直径とは、図２に示すように貫通孔Ｐｃの直径と、嵌合部１４の直径とが共に直径ｄであって等しいということである。
【００２８】
以下、図１，図２及び図４を用いて支持具１０の構成、特に、支持具本体１１の各構成部材の形状（寸法など）について貫通孔Ｐｃと関連付けて詳しく説明する。
設置部１３は、支持具１０をデッキプレートＰに設置した時、下面１５全体がデッキプレートＰの上面Ｐｄに係止され、貫通孔Ｐｃの直径より大径にて形成されている。すなわち、設置部１３は、デッキプレートＰの上面Ｐｄと係止されることにより支持具本体１１（支持具１０）を上面Ｐｄ側で支持する。また、設置部１３は、デッキプレートＰの上面Ｐｄ側に位置する貫通孔Ｐｃの上側周縁全体を被覆する。また、設置部１３は、凹溝２０に粘着テープ２１が貼着された場合、デッキプレートＰの上面Ｐｄに接着固定され、貫通孔Ｐｃを閉鎖する。貫通孔Ｐｃが閉鎖された場合には、デッキプレートＰの上面Ｐｄ側の空間と下面Ｐｅ側の空間とが非連通とされる。本実施形態では、設置部１３が係止部となり、該設置部１３が接着固定された場合には閉鎖部を兼用する。
【００２９】
また、嵌合部１４は、デッキプレートＰの上面Ｐｄ側から貫通孔Ｐｃに挿入され、その外面となる外周面が貫通孔Ｐｃの内面となる内周面に嵌合し得るように貫通孔Ｐｃと同一形状（同一直径）で形成されている。このため、嵌合部１４は、貫通孔Ｐｃの内周面に密接状態（隙間なく密着した状態）で嵌合される。また、嵌合部１４は、支持具１０の設置時に設置部１３の下面１５がデッキプレートＰの上面Ｐｄに係止されると（粘着テープ２１によって設置部１３の下面１５がデッキプレートＰの上面Ｐｄに接着されると）、先端面１９がデッキプレートＰの下面Ｐｅよりも下方へ突出される長さ（延設方向長さ）で形成されている。本実施形態では、嵌合部１４が挿入部と閉鎖部となり、兼用構成されている。
【００３０】
さて、上記支持具１０をデッキプレートＰに設置し、該支持具１０を使用してケーブルＤをコンクリート天井Ｔから吊り下げるには、まず、支持具１０を設置するデッキプレートＰの上面Ｐｄに貫通孔Ｐｃを穿設する（穿設工程）。このとき、貫通孔Ｐｃは、嵌合部１４の直径と同一直径にて形成する。次に、図１、図２及び図４に示すように、線材１２と嵌合部１４とをデッキプレートＰの上面Ｐｄ側（貫通孔Ｐｃの上側周縁側）から貫通孔Ｐｃ内に挿入する（挿入工程）。なお、線材１２と支持具本体１１は、組み付けられた状態で貫通孔Ｐｃに挿入され、該貫通孔Ｐｃには線材１２の先端側を最初に挿入する。そして、嵌合部１４の先端面１９から引き出された分の線材１２が貫通孔Ｐｃに挿入されると、貫通孔Ｐｃの上側周縁に支持具本体１１が位置決めされる。すなわち、嵌合部１４は、貫通孔Ｐｃと同一直径で形成されているので、ある程度の押圧力を設置部１３の上面１６から加えない限り貫通孔Ｐｃに嵌合されない。なお、線材１２は、嵌合部１４の先端面１９から引き出されているので、線材１２の挿入時には貫通孔Ｐｃの内周面に擦れない。
【００３１】
そして、設置部１３を底部Ｐｂに押し付けるように設置部１３の上面１６から押圧力を支持具本体１１に加えて嵌合部１４を貫通孔Ｐｃに嵌合する（嵌合工程）。押圧力は、作業者が支持具本体１１を踏みつける又はハンマーなどの工具で叩いて加える。また、押圧力は、設置部１３の下面１５がデッキプレートＰの上面Ｐｄに係止されるまで加える。そして、押圧力を受けて嵌合部１４が貫通孔Ｐｃに挿入されると、該嵌合部１４は貫通孔Ｐｃ内に密接状態で嵌合される。そのため、嵌合部１４の外周面と貫通孔Ｐｃの内周面との間には隙間が形成されない。したがって、嵌合部１４によって貫通孔Ｐｃが閉鎖されることで、コンクリート天井Ｔの構築時におけるコンクリートの漏出が防止される。また、線材１２は、嵌合部１４の内部に配設される挿通孔２２に挿通されているため、該嵌合部１４を貫通孔Ｐｃに挿入する際に嵌合部１４の外周面と貫通孔Ｐｃの内周面との間に挟まれず、線材１２が傷つけられることが防止される。また、嵌合部１４を貫通孔Ｐｃに挿入する際の妨げにならないので、線材１２が傷つかないように配慮して設置作業を行う場合に比べて設置作業が容易となる。
【００３２】
そして、嵌合部１４が貫通孔Ｐｃに挿入され、設置部１３がデッキプレートＰの上面Ｐｄに係止されると、支持具１０はデッキプレートＰの上面Ｐｄに設置される。支持具１０が設置されると、支持具本体１１に懸吊された線材１２は、デッキプレートＰの下面Ｐｅ側の空間に配置される。すなわち、線材１２は、嵌合部１４の先端面１９からデッキプレートＰの下面Ｐｅ側の空間に露出され、デッキプレートＰよりも下方位置にてケーブルＤを支持可能に配置される。
【００３３】
なお、設置部１３を粘着テープ２１によりデッキプレートＰの上面Ｐｄに接着固定した場合には、粘着テープ２１を介して設置部１３の下面１５が貫通孔Ｐｃの上側周縁たる底部Ｐｂの上面Ｐｄに係止されて支持具１０がデッキプレートＰに支持される。そして、設置部１３の下面１５と底部Ｐｂの上面Ｐｄとの間が粘着テープ２１によって接着されることにより、貫通孔Ｐｃが閉鎖されるとともに貫通孔Ｐｃの上側周縁がシールされる。このため、コンクリートの漏出がより確実に防止される。
【００３４】
次いで、貫通孔Ｐｃを通過してデッキプレートＰの下側に延びる線材１２を用いてケーブルＤを結束保持する。このとき、線材１２は、嵌合部１４内を通過して該嵌合部１４の先端面１９から外部に引き出されているので、デッキプレートＰの下面Ｐｅ側に位置する貫通孔Ｐｃの下側周縁との接触が回避される。そして、ケーブルＤをデッキプレートＰに吊り下げ支持した状態では、支持具１０が設置部１３によって底部Ｐｂの上面Ｐｄに支持されている。このため、ケーブルＤの荷重により、線材１２を介して該設置部１３に引張力が作用するが、支持具１０がデッキプレートＰから落下するおそれは全くなく、支持具１０によってケーブルＤを安定した状態でコンクリート天井Ｔから吊り下げることができる。
【００３５】
そして、デッキプレートＰの上面Ｐｄには、コンクリート天井Ｔを構築するためにコンクリートが打設される。このとき、支持具１０にはコンクリート打設圧が作用するが、支持具１０は、嵌合部１４と貫通孔Ｐｃとが密接状態で嵌合されているため、コンクリート打設圧によって支持具１０が移動（貫通孔Ｐｃの径方向に沿う移動）させられることが阻止される。このため、コンクリート天井Ｔの構築時に、嵌合部１４と貫通孔Ｐｃとの間にコンクリートが侵入することが阻止される。また、設置部１３を粘着テープ２１によって底部Ｐｂの上面Ｐｄに接着することにより、支持具１０はデッキプレートＰに確実に固定される。このため、設置部１３の下面１５と底部Ｐｂの上面Ｐｄとの間にコンクリートが侵入することも同時に阻止される。
【００３６】
上記実施形態によれば、以下のような効果を得ることができる。
（１）線材１２は、嵌合部１４の先端面１９から下方に露出されるように配置される。そして、嵌合部１４は、先端面１９が貫通孔Ｐｃの周縁より突出するように配置される。このため、嵌合部１４を貫通孔Ｐｃに挿入する際に、線材１２が貫通孔Ｐｃの内面に接触することを回避することができる。また、支持具１０によって、管類又はケーブル類を支持した状態又は管類又はケーブル類を支持する際においても貫通孔Ｐｃの周縁に線材１２が接触することを回避することができる。したがって、線材１２を傷つけることなく支持具１０をデッキプレートＰに設置することができる。
【００３７】
（２）嵌合部１４には、該嵌合部１４を貫通孔Ｐｃに挿入する挿入方向に沿って先端面１９を貫通する挿通孔２２を形成し、挿通孔２２に線材１２を挿通して支持具１０を構成した。このため、線材１２は、嵌合部１４に保護されることによって貫通孔Ｐｃの内面に接触することが防止される。したがって、支持具のデッキプレートＰへの設置時及び設置後において線材１２が傷つけられることを防止することができる。
【００３８】
（３）嵌合部１４は、その外周面が貫通孔Ｐｃの内周面と同一形状（同一直径）となるように形成される。このため、嵌合部１４を貫通孔Ｐｃ内に密接状態で嵌合させることができ、嵌合部１４の外周面と貫通孔Ｐｃの内周面との間の隙間をなくすことができる。したがって、コンクリート天井Ｔの構築時に貫通孔Ｐｃからコンクリートが漏出することを防止することができる。
【００３９】
（４）設置部１３は、デッキプレートＰの上面Ｐｄに粘着テープ２１により接着される。このため、コンクリート天井Ｔの構築時に支持具１０にコンクリート打設圧が作用しても、設置部１３がデッキプレートＰに粘着テープ２１によって固定されるため、より確実に貫通孔Ｐｃを設置部１３によって閉鎖することができる。したがって、コンクリート天井Ｔの構築時に貫通孔Ｐｃからコンクリートが漏出することをより確実に防止することができる。
【００４０】
（５）支持具１０のデッキプレートＰへの設置時に、嵌合部１４は、貫通孔Ｐｃに挿入するようにした。また、嵌合部１４は、貫通孔Ｐｃに密接状態で嵌合されるため、コンクリートが貫通孔Ｐｃに漏出することを防止することができる。したがって、コンクリートが貫通孔Ｐｃに漏出することを防止する手段を他に設けて支持具１０を設置する場合に比べて、設置作業を簡略化することができる。
【００４１】
（６）設置部１３の下面１５には凹溝２０を設け、設置部１３に粘着テープ２１を配設可能な構成とした。このため、嵌合部１４の外周面と貫通孔Ｐｃの内周面とが密接状態で嵌合し得ない場合であっても、凹溝２０に粘着テープ２１を配設することによって設置部１３は、デッキプレートＰの上面Ｐｄに接着固定される。したがって、設置部１３は、貫通孔Ｐｃを嵌合部１４の直径より大きく穿設した場合でも、貫通孔Ｐｃを閉鎖することができる。
【００４２】
（７）設置部１３をデッキプレートＰの上面Ｐｄに粘着テープ２１によって接着固定した。粘着テープ２１は該粘着テープ２１をデッキプレートＰの上面Ｐｄに接着した直後から所要の接着強度を発揮することができる。このため、例えば、接着剤のように硬化するまで所要の接着強度が得られない場合と異なり、設置部１３をデッキプレートＰの上面Ｐｄに接着した直後に、デッキプレートＰの上面Ｐｄへのコンクリートの打設作業を行うことができ、コンクリート天井Ｔの構築作業の作業時間を短くできる。
【００４３】
（８）手作業により折り曲げ可能な線材１２を支持材として用いた構成としたため、ケーブルＤを保持し支持具１０に吊下げ支持させる作業を容易に行うことができる。
（９）嵌合部１４の直径を市販されている電動ドリルで穿設可能な直径に設定した。このため、支持具１０を設置するために貫通孔Ｐｃを穿設する際に、他の作業で使用する電動ドリルを流用することができる。したがって、貫通孔Ｐｃを穿設する場合に、特別な電動ドリルを用いる必要がなくなる。
【００４４】
（１０）折り曲げられた１本の線材１２の両端は別々の挿通孔２２に挿通される。例えば、１つの挿通孔２２に線材１２の両端を挿通した場合、挿通された該線材１２同士が挿通孔２２の孔内で捩れる等により擦れて傷つけられる可能性がある。一方、本実施形態では、線材１２の両端を別々の挿通孔２２に挿通するため、挿通された線材１２同士が接触することが防止される。したがって、線材１２同士が捩れることを防止しつつ、線材１２同士で擦れることで傷つけられることを防止することができる。
【００４５】
（１１）線材１２は、折り曲げられた折り曲げ部位を窪み１７の底面１８に引っ掛けることによって支持具本体１１に取着され、支持具本体１１に懸吊される。このため、線材１２は、支持具本体１１に取着けられた時点でケーブルＤを吊下げることができ、コンクリート天井Ｔの構築（デッキプレートＰへのコンクリートの打設）の前後に拘わらず支持具１０はケーブルＤを吊下げることができる。したがって、コンクリート天井Ｔの構築前に支持具１０を実際にケーブルＤを吊下げて設置位置を決めることができる。そして、デッキプレートＰへの支持具１０の設置位置を変更する場合に、コンクリート天井Ｔの構築前であれば支持具１０の設置位置は容易に変更することができる。
【００４６】
なお、上記実施形態は、以下のように変更してもよい。
・  図５に示すように、嵌合部１４の先端面１９に線材１２を吊り下げる吊下部としての取付部２３を設けてもよい。取付部２３は、線材１２が嵌合部１４の直径領域から外方にはみ出さないように該線材１２を取付け可能な大きさにて形成されている。そして、取付部２３には、線材１２を挿通可能な取付孔２４が形成されている。線材１２は、取付孔２４に挿通され、折り曲げられることにより、嵌合部１４の先端面１９で懸吊される。このため、取付部２３は嵌合部１４の先端に設けられるため、該取付部２３への線材１２の取り付けが容易となる。したがって、例えば、線材１２が嵌合部１４の内部に配置される場合に比べ線材１２の取り付けが容易となる。また、線材１２は、嵌合部１４の先端面１９に設けられた取付部２３により、支持具１０がデッキプレートＰに装着された際、嵌合部１４の先端面１９からデッキプレートＰの下面Ｐｅ側の空間に露出されることになる。このように構成した場合でも、実施形態と同様に、線材１２を傷つけることなく支持具１０をデッキプレートＰに装着できる。なお、この取付部２３は、例えば、デッキプレートＰの下面Ｐｅ側に断熱材を配設するような場合に有効となる。すなわち、断熱材が配設される場合には、貫通孔Ｐｃに連続した貫通孔を断熱材に設け、断熱材の下方側まで嵌合部１４を嵌合させる必要がある。このため、嵌合部１４は、デッキプレートＰの貫通孔Ｐｃから突出し、さらに断熱材の貫通孔からも突出する長さにて形成されることになるので、線材１２の全長を短くするために嵌合部１４の先端面１９に設けられた取付部２３が有効となる。また、取付部２３は嵌合部１４の先端に設けられるため、該取付部２３への線材１２の取り付けが容易となる。したがって、例えば、線材１２が嵌合部１４の内部に配置される場合に比べ線材１２の取り付けが容易となる。
【００４７】
・  図６に示すように、嵌合部１４の先端面１９に線材１２を吊り下げる吊下部としての取付溝２５を形成してもよい。そして、取付溝２５の内側には、取付部位２６が配設される。取付部位２６には、線材１２を挿通可能な挿入孔２７が該取付部位２６の径方向へ貫通して形成されている。線材１２は、挿入孔２７に挿通され、折り曲げられることにより、嵌合部１４の先端面１９で懸吊される。また、線材１２は、嵌合部１４の先端面１９に設けられた取付部位２６により、嵌合部１４の先端面１９からデッキプレートＰの下面Ｐｅ側の空間に露出されることになる。このように構成した場合でも、実施形態と同様に、線材１２を傷つけることなく支持具１０をデッキプレートＰに装着できる。また、取付溝２５の取付部位２６が配設されるとは反対方向の側面によって、より確実に線材１２が貫通孔Ｐｃと接触することを防止することができる。
【００４８】
・  実施形態において、嵌合部１４を該嵌合部１４の外周面の一部が貫通孔Ｐｃの内周面に密接状態で嵌合されるように形成してもよい。例えば、嵌合部１４の先端面１９側を先細状（すなわち、径を小さくする）に形成し、嵌合部１４の基端の外周が貫通孔Ｐｃの内周面に密接状態で嵌合されるように形成してもよい。すなわち、嵌合部１４の少なくとも外周面の一部が貫通孔Ｐｃの内周面との間で密接状態を形成すれば、コンクリート天井Ｔの構築時においてコンクリートが貫通孔Ｐｃから漏れ出ることを防止できる。
【００４９】
・  実施形態では、接着部材を粘着テープ２１に具体化したが、接着部材として接着剤に具体化してもよい。その場合、設置部１３の下面１５に設けられる凹溝２０を省略して前記下面１５を平面にて形成し、該下面１５全体に接着剤を塗布するようにしてもよい。
【００５０】
・  実施形態では、設置部１３の下面１５に粘着テープ２１を貼着したが、デッキプレートＰの上面Ｐｄに粘着テープ２１を貼着しておき、該粘着テープ２１に設置部１３の下面１５を接合する設置方法によって支持具１０を設置してもよい。また、設置部１３の下面１５をデッキプレートＰの上面Ｐｄに接着するときに、設置部１３の下面１５又はデッキプレートＰの上面Ｐｄに接着剤を塗布するようにしてもよい。
【００５１】
・  実施形態では、設置部１３を円盤状に形成したが、貫通孔Ｐｃを閉鎖できるのであれば、設置部１３の形状は四角板状、六角板状等に変更してもよい。
・  実施形態では、支持具１０にケーブルＤを支持させたが、保護管等の管類を支持させてもよい。
【００５２】
・  図７に示すように、貫通孔Ｐｃの径が嵌合部１４の径より大きく形成されるようにしてもよい。そして、嵌合部１４が貫通孔Ｐｃ内に嵌合されない場合であっても、設置部１３の下面１５とデッキプレートＰの上面Ｐｄとの間に粘着テープ２１が配設されていればよい。粘着テープ２１によって設置部１３がデッキプレートＰの上面Ｐｄに接着されるため、該設置部１３は、貫通孔Ｐｃを閉鎖することができる。したがって、コンクリートが貫通孔Ｐｃから漏出することを防止することができる。
【００５３】
・  実施形態では、貫通孔Ｐｃと嵌合部１４の形状は、夫々の形状が同一形状であり、密接状態で嵌合できれば任意に変更してもよい。例えば、四角状、楕円状又は菱形状などでもよい。
【００５４】
・  実施形態では、嵌合部１４の長さは、先端面１９がデッキプレートＰの下面Ｐｅと同じになるように変更してもよい。このように構成した場合でも、本実施形態同様の効果を得ることができる。
【００５５】
・  実施形態では、設置部１３の下面１５には粘着テープ２１を配設するための凹溝２０を形成しなくてもよい。このように構成して粘着テープ２１を配設する場合には、設置部１３の下面１５の少なくとも一部に、設置部１３をデッキプレートＰの上面Ｐｄに接着するための粘着テープ２１を配設するようにすればよい。
【００５６】
・  実施形態では、支持材は、帯状としてもよい。
次に、上記実施形態及び別例から把握できる技術的思想について以下に追記する。
（イ）デッキプレートの上面にコンクリートが打設されてなるコンクリート天井に設置され、該コンクリート天井から管類又はケーブル類を吊り下げるために用いられる管・ケーブル類の支持具であって、支持具本体と、前記デッキプレートよりも下方位置で管類又はケーブル類を支持し、作業者の手作業により折り曲げ可能な線状又は帯状の支持材とからなり、前記支持具本体は、前記デッキプレートの上面に設置されるものであり、前記デッキプレートの上下面を貫通して穿設された貫通孔に挿入されるとともに前記支持材を懸吊する挿入部と、前記デッキプレートの上面に係止される係止部とを有し、前記挿入部を少なくとも一部の外面が前記貫通孔の内面と密接状態を形成して嵌合させることを特徴とする管・ケーブル類の支持具。
【図面の簡単な説明】
【００５７】
【図１】実施形態の支持具をコンクリート天井に設置した状態を示す図。
【図２】支持具の設置部及び嵌合部を示す斜視図。
【図３】（ａ）は、支持具を示す断面図、（ｂ）は、支持具を下方から見た図。
【図４】支持具にてケーブルを支持した状態を示す図。
【図５】別例の支持具の設置状態を示す図。
【図６】別例の支持具を示す断面図。
【図７】別例の支持具の設置状態を示す図。
【図８】従来の支持具を示す斜視図。
【符号の説明】
【００５８】
Ｄ…ケーブル類としてのケーブル、Ｐ…デッキプレート、Ｐｃ…貫通孔、Ｐｄ…貫通孔の周縁部としてのデッキプレートの上面、Ｔ…コンクリート天井、１０…管・ケーブル類の支持具、１１…支持具本体、１２…支持材としての線材、１３…係止部又は閉鎖部としての設置部、１４…挿入部又は閉鎖部としての嵌合部、１５…係止面としての下面、１６…設置部の一面としての上面、１７…線材が固定される窪み、１８…吊下げ部としての底面、１９…先端面、２０…配設部としての凹溝、２１…接着部材としての粘着テープ、２２…支持材挿通孔としての挿通孔、２３…吊下げ部としての取付部、２４…取付孔、２５…取付溝、２６…取付部位、２７…挿入孔。
【図１】
2006234061.tif 000003
【図２】
2006234061.tif 000004
【図３】
2006234061.tif 000005
【図４】
2006234061.tif 000006
【図５】
2006234061.tif 000007
【図６】
2006234061.tif 000008
【図７】
2006234061.tif 000009
【図８】
2006234061.tif 000010